(57)【要約】【課題】光源からの光束が強い場合であっても、温度変動に伴うピントずれを良好に補償し得る投写型表示装置を得る。【解決手段】ライトバルブにより変調された光束が直接照射されない位置Ｔｓ１〜Ｔｓ４のいずれかに温度検出器が設けられている。この温度検出器からの出力による温度情報に基づき、予め求めておいた、該温度変動と、その温度変動に伴う前記投写レンズのピントずれを補償するピントずれ補償用レンズ群の移動量との関係情報を用いて、該ピントずれを補償するように、投写レンズ４中の、少なくとも１つのピントずれ補償用レンズ群を光軸Ｚ方向に移動するように構成されている。【選択図】図１
2011039352.tif 000002
【特許請求の範囲】
【請求項１】
光源からの光束をライトバルブにより変調し、該変調された光束をスクリーン上に拡大投写する投写レンズを備えた投写型表示装置において、
前記変調された光束が直接照射されない位置に温度検出器を設け、
該温度検出器からの出力による温度情報に基づき、予め求めておいた、温度変動と、その温度変動に伴う前記投写レンズのピントずれを補償するピントずれ補償用レンズ群の移動量との関係情報を用いて、該ピントずれを補償するように、前記投写レンズ中に配設した、少なくとも１つのピントずれ補償用レンズ群を光軸方向に移動するように構成してなることを特徴とする投写型表示装置。
【請求項２】
前記ピントずれ補償用レンズ群が以下の条件式を満足することを特徴とする請求項１記載の投写型表示装置。
０．１  ＜  Δｄｄ／Δｂｆ  ＜  １０．０  ・・・・（１）
ここで、
Δｄｄ  :前記ピントずれ補償用レンズ群の移動量（絶対値表示）
Δｂｆ  :Δｄｄの移動に対するピント移動量（絶対値表示）
【請求項３】
前記投写レンズ中に、アッベ数が７５以上の正レンズが２枚以上含まれていることを特徴とする請求項１または２記載の投写型表示装置。
【請求項４】
前記投写レンズ中に、プラスチックレンズが含まれていることを特徴とする請求項１または２記載の投写型表示装置。
【請求項５】
最も有効径の小さいレンズの近傍に、１つの前記温度検出器が配置されていることを特徴とする請求項１〜４のうちいずれか１項記載の投写型表示装置。
【請求項６】
レンズ鏡筒の外側で、レンズマウントよりも縮小側の位置に、１つの前記温度検出器が配置されていることを特徴とする請求項１〜４のうちいずれか１項記載の投写型表示装置。
【請求項７】
前記ピントずれ補償用レンズ群は、前記投写レンズ中の最も縮小側に配置されたレンズを含むことを特徴とする請求項１〜６のうちいずれか１項記載の投写型表示装置。
【請求項８】
前記ピントずれ補償用レンズ群は、前記投写レンズ中の最も縮小側に配置された１枚のレンズにより構成されたことを特徴とする請求項７記載の投写型表示装置。
【請求項９】
前記ピントずれ補償用レンズ群を構成する、最も縮小側に位置する１枚のレンズは、ズーミング操作およびフォーカシング操作によっては移動しないことを特徴とする請求項８記載の投写型表示装置。
【発明の詳細な説明】
【技術分野】
【０００１】
本発明は、光源からの光束を、ライトバルブに照射し、このライトバルブ上に表示された画像をスクリーン上に拡大投影する投写型表示装置に関し、特に、光源からの光束を受けて熱膨張や熱収縮が顕著になされる材料を用いて構成される投写型表示装置に関する。
【背景技術】
【０００２】
プロジェクタに搭載されるライトバルブとしては、透過型液晶表示素子、反射型液晶表示素子（ＬＣＯＳ）、さらにはＤＭＤ（デジタル・マイクロミラー・デバイス）等の各種ライトバルブが知られている。
【０００３】
ところで、近年のプロジェクタでは上記ライトバルブの進歩等により高精細化が進み、光源からの光束を照射する際の光学系内の温度変動に伴うピントずれがより目立つようになってきている。また高精細化の要請に伴い、色収差低減のためにアッベ数の大きな（例えばアッベ数が７５以上の）材料を多用するようになってきていることも、温度変動に伴うピントずれが大きくなる要因となっている。
【０００４】
温度変動に伴うピントずれを補正する技術としては、レンズのパワーバランスや材料選択を適切に行う手法や、膨張係数の互いに異なる部材同士によってレンズ鏡筒を構成し、温度の変動があっても、熱膨張、収縮に関し、相互に補償を行われるようにしたものが知られている。
【０００５】
しかし、これらの手法は、高性能化、小型化、軽量化、および低コスト化を妨げる要因ともなってしまう。
さらに、投写レンズ内の温度環境が均一ではないような場合には、温度補償効果を得るための設計自体が困難となる。
【０００６】
このような問題に対し、撮影光学系の分野においては、レンズの一部を積極的に移動させ、温度変化に伴うピント調整を行うものとして、下記特許文献１、２に記載されたものが知られている。
【先行技術文献】
【特許文献】
【０００７】
【特許文献１】特許第２７６３２００号公報
【特許文献２】特開２００２−３４１２４３号公報
【発明の概要】
【発明が解決しようとする課題】
【０００８】
しかしながら、上記公報に記載されたような撮影光学系とは異なり、投写レンズの場合には極めて強い光源からの光束を投写レンズ内に導入するために、光源を点灯してからの該系内の温度変化が顕著であり、その変動の大きさ、およびその変動が長時間（例えば、点灯後２時間）に亘るという事情故に、撮影光学系と同様に考えることができない。
【０００９】
また、上述した、温度変動に伴うピント移動を補正する技術には、系内で検出した温度に基づき、所定のレンズを移動させるものが考えられるが、いずれにしても、投写レンズにおいては光源からの光束が強すぎて、系内の温度検出器を高精度に作動させることが難しかった。
【００１０】
本発明はこのような事情に鑑みなされたもので、光源からの光束が強い場合であっても、検出した温度変動に伴うピントずれを良好に補償し得る投写型表示装置を提供するものである。
【課題を解決するための手段】
【００１１】
本発明に係る投写型表示装置は、
光源からの光束をライトバルブにより変調し、該変調された光束をスクリーン上に拡大投写する投写レンズを備えた投写型表示装置において、
前記変調された光束が直接照射されない位置に温度検出器を設け、
該温度検出器からの出力による温度情報に基づき、予め求めておいた、温度変動と、その温度変動に伴う前記投写レンズのピントずれを補償するピントずれ補償用レンズ群の移動量との関係情報を用いて、該ピントずれを補償するように、前記投写レンズ中に配設した、少なくとも１つのピントずれ補償用レンズ群を光軸方向に移動するように構成してなることを特徴とするものである。
【００１２】
また、前記ピントずれ補償用レンズ群が以下の条件式を満足することが好ましい。
０．１  ＜  Δｄｄ／Δｂｆ  ＜  １０．０  ・・・・（１）
ここで、
Δｄｄ  :前記ピントずれ補償用レンズ群の移動量（絶対値表示）
Δｂｆ  :Δｄｄの移動に対するピント移動量（絶対値表示）
【００１３】
また、前記投写レンズ中に、アッベ数が７５以上の正レンズが２枚以上含まれていることが好ましい。
【００１４】
また、前記投写レンズ中に、プラスチックレンズが含まれていることが好ましい。
【００１５】
また、最も有効径の小さいレンズの近傍に、１つの前記温度検出器が配置されていることが好ましい。
【００１６】
また、レンズ鏡筒の外側で、レンズマウントよりも縮小側の位置に、１つの前記温度検出器が配置されていることが好ましい。
【００１７】
また、前記ピントずれ補償用レンズ群は、前記投写レンズ中の最も縮小側に配置されたレンズを含むことが好ましい。
【００１８】
この場合において、前記ピントずれ補償用レンズ群は、前記投写レンズ中の最も縮小側に配置された１枚のレンズにより構成されていることが好ましく、さらに、前記ピントずれ補償用レンズ群を構成する、最も縮小側に位置する１枚のレンズは、ズーミング操作およびフォーカシング操作によっては移動しないように構成することが好ましい。
【００１９】
ここで、上記「変調された光束が直接照射されない位置」とは、ライトバルブからの光束が装置内の部材によって遮られて、あるいはライトバルブからの光束の出射角度からして、実質的に温度検出器に入射しない位置、を指称するものとする。
【発明の効果】
【００２０】
投写レンズにおいては、光源からの極めて強力な光束を投写レンズ内に導入するため、光源点灯時からの時間経過に伴う温度変化が大きくなり、温度変化に伴うピントのずれも大きくなる。
【００２１】
したがって、ピントのずれを補償する操作を行うことが肝要であるが、このための温度検出器に光源からの光束が直接あたるようになっていると、上記ピントのずれを補償するための適切な温度情報を得ることが難しくなる。前述した公報記載の従来技術は、撮影装置に関するものであって、装置内の温度が、投写型表示装置に比べてはるかに低く、入射される光束に対する温度検出器の位置については余り問題が生じないので、そのような点についての配慮がなされていない。
【００２２】
これに対し、本発明に係る投写型表示装置によれば、前記変調された光束が直接照射されない位置に温度検出器を設け、該温度検出器からの出力による温度情報を得るようにしているから、投写型表示装置における光源からの強力な光束が、直接温度検出器に照射することがないので、ピントのずれを補償するための適切な温度情報を得ることが可能となる。そして、本発明に係る投写型表示装置では、これにより得られた適切な温度情報に基づき、予め求めておいた、該温度変動と、その温度変動に伴う前記投写レンズのピントずれを補償するピントずれ補償用レンズ群の移動量との関係情報を用いて、投写レンズのピント移動量を補償するようにしているので、投写型表示装置であっても、装置内の温度変動に拘わらず投写レンズのピントが合った状態を高精度に維持することが可能である。
【００２３】
また、本発明に係る投写型表示装置において、１つのピントずれ補償用レンズ群を光軸方向に移動することにより、上記温度変動に応じたピントずれを補償するように構成すれば、前述した公報記載の従来技術に比べて、ピントずれの補償操作が簡易となり、またコスト的にも有利となる。
【図面の簡単な説明】
【００２４】
【図１】本発明の実施例１（実施形態）に係る投写型表示装置の構成を表す図である。
【図２】本発明の実施形態に係る投写型表示装置の概念的な構成を示すブロック図である。
【図３】本発明の実施形態に係る投写型表示装置の動作を示すフローチャートである。
【図４】実施例１に係る投写型表示装置の投写レンズの構成を表す断面図である。
【図５】比較例１に係る投写型表示装置の構成を表す図である。
【図６】本発明の実施例２に係る投写型表示装置の構成を表す図である。
【図７】実施例２に係る投写型表示装置の投写レンズの構成を表す断面図である。
【図８】比較例２に係る投写型表示装置の構成を表す図である。
【発明を実施するための形態】
【００２５】
以下、本発明の実施形態について図面を参照しつつ説明する。
【００２６】
図１は、本発明の実施形態に係る投写型表示装置を説明するための概略図である。
この装置１は、レンズ鏡筒部２とプロジェクタ本体３からなり、ズームレンズ鏡筒部２内において、カム筒２ｂ内に収納されたレンズ群のうち、複数のレンズ群（第２レンズ群Ｇ２〜第５レンズ群Ｇ５）が互いに独立して光軸Ｚに沿って移動するように構成されており、一方、プロジェクタ本体３には、図示されないＲ，Ｇ，Ｂ３色に対応するライトバルブからの光束を合成する色合成プリズム５が配設されている。
【００２７】
また、レンズ鏡筒部２とプロジェクタ本体３とは、レンズ鏡筒部２の一部（縮小側の第５レンズ群Ｇ５、第６レンズ群Ｇ６に相当する部分）がプロジェクタ本体３内に嵌入されるようにして組み合わせられている。なお、レンズ鏡筒部２には、このレンズ鏡筒部２をプロジェクタ本体３のレンズマウント部３ａに保持させるためのフランジ部２ａが設けられている。
【００２８】
また、本実施形態においては、上記ライトバルブにより変調された光束が直接照射されない位置Ｔｓ１〜Ｔｓ４のいずれか１つ、または２つ以上の箇所に、温度検出器が設けられている。また、この温度検出器からの出力による温度情報に基づき、予め求めておいた、温度変動と、その温度変動に伴う前記投写レンズのピントずれを補償するピントずれ補償用レンズ群の移動量との関係を表すデータテーブルを用いて、該ピントずれを補償するように、投写レンズ４中の、少なくとも１つのピントずれ補償用レンズ群を光軸方向に移動するように構成されている。
【００２９】
このようなピントずれ補償用レンズ群としては、投写レンズ４中の最も縮小側に配置されたレンズを含むことが好ましい。
【００３０】
また、この場合において、ピントずれ補償用レンズ群は、投写レンズ中の最も縮小側に配置された１枚のレンズ（実施例１では第６レンズ群Ｇ６を構成する第１５レンズＬ１５）により構成されていることが好ましく、さらに、このピントずれ補償用レンズ群を構成する、最も縮小側に位置する１枚のレンズは、ズーミング操作およびフォーカシング操作によっては移動しないように構成することが好ましい。これにより、温度変動に伴うピントずれの補償を、簡易かつ低コストで行なうことができる。
【００３１】
なお、図１においては、ズーム時、広角端から望遠端に向かうにしたがって移動する、移動レンズ群Ｇ２、Ｇ３、Ｇ４、Ｇ５の移動軌跡が描かれている。
【００３２】
また、温度検出器の配設位置としては、投写型表示装置内であって、このライトバルブにより変調された光束が直接照射されない位置であればよいが、特に、図１に示す温度検出器Ｔｓ１の如く、最も有効径の小さいレンズ（実施例１では第５レンズ群Ｇ５の最も拡大側のレンズＬ１１）の近傍に配置されていることが好ましい。あるいは、図１における温度検出器Ｔｓ２の如く、レンズ鏡筒部２の外側（外壁面上）で、レンズマウント部３ａよりも縮小側の位置に配置されていることが好ましい。
【００３３】
また、前記ピントずれ補償用レンズ群が以下の条件式（１）を満足することが好ましい。
０．１  ＜  Δｄｄ／Δｂｆ  ＜  １０．０  ・・・・（１）
ここで、
Δｄｄ:ピントずれ補償用レンズ群の移動量（絶対値表示）
Δｂｆ:Δｄｄの移動に対応するピント移動量（絶対値表示）
【００３４】
上記条件式（１）は、移動レンズ群の光学調整の簡便化および移動レンズ群の移動量の短縮化を図るものである。すなわち、この下限を下回ると移動させるレンズ群のアライメント調整が難しくなり、一方、この上限を上回ると移動させるレンズ群の移動量が大きくなり過ぎる。
【００３５】
なお、本投写レンズ４中において、アッベ数νが７５以上となる正レンズを２枚以上含むようにすれば色収差を良好に補正することが可能となる。また、本投写レンズ４中に、プラスチックレンズを含むことがコストを低減させる上で好ましい。
【００３６】
図２は本実施形態装置における主要要素を示すブロック図である。すなわち、温度検出センサー２１から出力された温度情報をＣＰＵ２２が読み取り、予め作成しメモリ２３内に格納しておいた、温度変動量と移動レンズ群補償移動量を関連付けた対応テーブルから、該温度情報に対応した移動レンズ群補償移動量を導出し、移動レンズ群補償移動量に応じたモーター駆動信号をレンズ駆動モーター２４（フォーカスレンズ駆動用モーターと共用することが可能であるが、ズームレンズ駆動用モーターとは別個に設けられる）に出力し、これに応じてピントずれ補償用レンズ群２５が光軸Ｚ上を所定位置まで移動する。これにより、光源がＯＮした後、投写型表示装置内に生じる温度変動に基づくピントずれを良好に補正することができる。なお、上記テーブルに替え、温度変動量と移動レンズ群補償移動量の間の関係式を用いて、温度変動量から、移動レンズ群補償移動量を求めることもできる。この場合にも、該関係式をメモリ２３内に予め格納しておくようにする。
【００３７】
また、ＣＰＵ２２からは、ズームレンズ群（実施例１においては、レンズ群Ｇ２、Ｇ３、Ｇ４、Ｇ５）あるいはフォーカスレンズ群（実施例１においてはレンズ群Ｇ１）を駆動するための駆動信号が送出されるようになっている。
【００３８】
ここで、上述した本実施形態装置の動作について、図３を用いて説明する。
まず、装置の主スイッチがＯＮ状態とされるとレンズ鏡筒部２が広角端位置に繰り出される（Ｓ１）。その後、図示されないズーム操作部/フォーカス操作部の操作に応じて、複数のレンズ群（実施例１においては、レンズ群Ｇ２、Ｇ３、Ｇ４、Ｇ５）が光軸Ｚに沿って移動し、ズーミング操作およびフォーカシング操作が行われる（Ｓ２）。なお、実施例２に示すような固定焦点レンズの場合には、上記ズーミング操作は行われない。この後、ＣＰＵ２２は温度検出センサー２１からの温度情報を取り込む（Ｓ３）。ＣＰＵ２２は、これらの温度情報から、メモリ２３内に予め格納された上記温度変動量―移動レンズ群補償移動量対応テーブル（またはメモリ２３内に予め格納された、温度変動量と移動レンズ群補償移動量の間の関係式）を用いてピントずれを補償するための移動レンズ群補償移動量を導出する（Ｓ４）。そして、ＣＰＵ２２は、得られた移動レンズ群補償移動量に応じたモーター駆動信号を駆動モーター２４に送出し（Ｓ５）、駆動モーター２４は、該モーター駆動信号に応じてピントずれ補償用レンズ群２５（実施例１においては、レンズ群Ｇ６）を光軸Ｚに沿って移動せしめて、ピントずれを補償するように構成されている（Ｓ６）。
【００３９】
なお、図３に示す上述した装置の動作は、一例を示すものであり、その他の種々の動作を採用し得ることは勿論である。
【００４０】
例えば、ズーミング操作やフォーカシング操作がＣＰＵ２２からの指示に応じて行われるのではなく、直接、駆動モーター２４を駆動させるような操作を行うようにしてもよい。
【００４１】
また、メモリ２３内に、温度変動量、ズーム位置および移動レンズ群補償移動量の３者を関連付けた対応テーブルを格納しておき、ズーム操作の情報と組み合わせ、ズーム位置によって、温度変動量の値に応じた移動レンズ群補償移動量の値を変化させるように構成することも可能である。
【実施例】
【００４２】
以下、本発明に係る投写型表示装置の具体的な実施例について説明する。なお、各実施例において、互いに同様の作用効果をなす部材については同一の符号を付している。
【実施例１】
【００４３】
実施例１に係る投写型表示装置の投写レンズはズームレンズであって、図１および図４に示すように、拡大側から順に、第１レンズ群Ｇ１、第２レンズ群Ｇ２、第３レンズ群Ｇ３、第４レンズ群Ｇ４、第５レンズ群Ｇ５、および第６レンズ群Ｇ６からなり、このうち第２レンズ群Ｇ２、第３レンズ群Ｇ３、第４レンズ群Ｇ４、および第５レンズ群Ｇ５が、変倍時において、互いに独立して移動するように構成されている。なお、第１レンズ群Ｇ１は４枚のレンズ（Ｌ１〜Ｌ４）からなり、第２レンズ群Ｇ２は２枚のレンズ（Ｌ５、Ｌ６）からなり、第３レンズ群Ｇ３は２枚のレンズ（Ｌ７、Ｌ８）、マスク７および絞り８からなり、第４レンズ群Ｇ４は２枚のレンズ（Ｌ９、Ｌ１０）からなり、第５レンズ群Ｇ５は４枚のレンズ（Ｌ１１〜Ｌ１４）からなり、第６レンズ群Ｇ６は１枚のレンズ（Ｌ１５）からなる。第６レンズ群Ｇ６は、ズーミングやフォーカシングによっては移動しないように構成されている。
【００４４】
また、ズーミングは、上述したように第２〜第５レンズ群Ｇ２、Ｇ３、Ｇ４、Ｇ５を互いに独立に移動させることによって行なわれるが、フォーカシングは第１レンズ群Ｇ１を移動させることによって行われるようになっている。
【００４５】
また、第６レンズ群Ｇ６の縮小側には、色合成プリズム５およびライトバルブ（透過型液晶、反射型液晶あるいはＤＭＤ等）６が配されている。なお、ライトバルブは、一般にはＲ，Ｇ，Ｂの各色光に応じて３枚設けられているが、本願の図面においては、見易さの便宜のために１枚のみ表示されている。
【００４６】
また、温度検出器の配設位置は、投写型表示装置内であって、このライトバルブにより変調された光束が直接照射されない位置Ｔｓ１〜Ｔｓ４のいずれか１つの位置に配設されている。すなわち、位置Ｔｓ１は、全系の中で最も有効径の小さい、第５レンズ群Ｇ５の最も拡大側のレンズＬ１１の近傍の配置である。また、位置Ｔｓ２は、レンズ鏡筒部２の外側（外壁面上）で、レンズマウント部３ａよりも縮小側の位置である。また、位置Ｔｓ３は、レンズ鏡筒部２の内側（外筒の内壁面上）で、レンズマウント部３ａよりも縮小側の位置である。また、位置Ｔｓ４は、プロジェクタ本体３の内壁面であって、色合成プリズム５からの光束が直接照射されない位置である。このような位置に温度検出器を設けることにより投写型表示装置における光源からの強力な光束が、直接温度検出器に照射されることがなくなるので、ピントのずれを補償するための適切な温度情報を得ることが可能となる。
【００４７】
その一方、例えば図５に示すように、ライトバルブにより変調された光束が直接照射される位置Ｔｘ１、Ｔｘ２（何ら間に介することなく、光束が直接照射される場合や、間にレンズを介して光束が直接照射される場合）に温度検出器を配設した場合は、ピントのずれを補償するための適切な温度情報を得ることが困難である。
【００４８】
また、上述した条件式（１）に対応するΔｄｄ／Δｂｆの値は、最も拡大側の第１レンズ群Ｇ１の各レンズＬ１〜Ｌ４をピントずれ補償用レンズ群２５として一体的に移動させた場合には、広角端では１．３３、望遠端では０．５２であり、上記条件式（１）を満足する。なお、本実施例においては、第１レンズ群Ｇ１がフォーカスレンズ群として機能するので、温度変動に伴うピントずれ補償用に別途のレンズ駆動部を設けずとも良くなりコスト的にも有利となる。
【００４９】
一方、最も縮小側の第６レンズ群Ｇ１のレンズＬ１５をピントずれ補償用レンズ群２５として移動させた場合には、広角端では１．２１、望遠端でも１．２１であり、上記条件式（１）を満足する（図１参照）。
【００５０】
実施例１に係る投写レンズの各レンズ面の曲率半径Ｒ（広角端の焦点距離を１．００として規格化している：実施例２において同じ）、各レンズの中心厚および各レンズ間の空気間隔（以下「軸上面間隔」と称す）Ｄ（広角端の焦点距離を１．００として規格化している：実施例２において同じ）、各レンズのｄ線における屈折率Ｎｄおよびアッベ数νｄの値を、表１の上段に示す。なお、表１および表２において面番号の数字は拡大側からの順番を表すものである。
【００５１】
【表１】
2011039352.tif 000003
【００５２】
なお、本実施例においては、アッベ数νが７５以上の正レンズを２枚（Ｌ１４、Ｌ１５）備えている。
【実施例２】
【００５３】
実施例２に係る投写型表示装置の投写レンズは固定焦点レンズであって、図６および図７に示すように、拡大側から順に、第１レンズ群Ｇ１、第２レンズ群Ｇ２、および第３レンズ群Ｇ３からなる。なお、第１レンズ群Ｇ１は２枚のレンズ（Ｌ１、Ｌ２）からなり、第２レンズ群Ｇ２は１枚のレンズ（Ｌ３）とマスク７からなり、第３レンズ群Ｇ３は４枚のレンズ（Ｌ４〜Ｌ７）からなる。
【００５４】
また、フォーカシングは第１レンズ群Ｇ１全体を移動させることによって行われるようになっており、第３レンズ群Ｇ３における最も縮小側のレンズＬ７は、フォーカシングによって移動しないように構成されている。
【００５５】
また、最も縮小側の第３レンズ群Ｇ３の縮小側には、色合成プリズム５およびライトバルブ（透過型液晶、反射型液晶あるいはＤＭＤ等）６が配されている点は、上記実施例１のものと同じである。
【００５６】
また、温度検出器の配設位置は、投写型表示装置内であって、このライトバルブにより変調された光束が直接照射されない位置Ｔｓ５〜Ｔｓ７のいずれか１つの位置に配設されている。すなわち、位置Ｔｓ５は、全系の中で最も有効径の小さい、第３レンズ群Ｇ３の最も拡大側のレンズＬ４の近傍の位置である。また、位置Ｔｓ６は、レンズ鏡筒部２の外側で、レンズマウント部３ａよりも縮小側の位置（プロジェクタ本体３の内壁面上の位置）である。また、位置Ｔｓ７は、レンズ鏡筒部２の外壁面上である。このような位置に温度検出器を設けることにより投写型表示装置における光源からの強力な光束が、直接温度検出器に照射されることがないので、ピントのずれを補償するための適切な温度情報を得ることが可能となる。
【００５７】
その一方、例えば図８に示すように、ライトバルブにより変調された光束が直接照射される位置Ｔｘ３、Ｔｘ４（何ら間に介することなく、光束が直接照射される場合や、間にレンズを介して光束が直接照射される場合）に温度検出器を配設した場合は、ピントのずれを補償するための適切な温度情報を得ることが困難である。
【００５８】
また、上述した条件式（１）に対応するΔｄｄ／Δｂｆの値は、最も拡大側の第１レンズ群Ｇ１の各レンズＬ１、Ｌ２をピントずれ補償用レンズ群２５として一体的に移動させた場合には１．２０であり、上記条件式（１）を満足する。なお、このようにしてピントずれ補償用レンズ群２５を構成した場合、本実施例においては、第１レンズ群Ｇ１がフォーカスレンズ群として機能するので、温度変動に伴うピントずれ補償用に別途のレンズ駆動部を設けずとも良くなりコスト的にも有利である。
【００５９】
一方、最も縮小側の第３レンズ群Ｇ３の各レンズＬ１〜Ｌ４をピントずれ補償用レンズ群２５として移動させた場合（図６参照）は０．９９であり、上記条件式（１）を満足する。
【００６０】
また、上記第２レンズＬ２と上記第４レンズＬ４の両面は非球面とされており、その非球面形状は、下記非球面式により規定される。
【００６１】
【数１】
2011039352.tif 000004
【００６２】
実施例２に係る投写レンズの各レンズ面の曲率半径Ｒ、軸上面間隔Ｄ、各レンズのｄ線における屈折率Ｎｄおよびアッベ数νｄの値を、表２の上段に示す。表２において、面番号の右側に＊印が付された面は非球面とされている。これら各非球面を表す非球面係数を、表２の下段に示す。
【００６３】
【表２】
2011039352.tif 000005
【００６４】
なお、本実施例においては、プラスチックレンズを２枚（Ｌ２、Ｌ４）備えている。
【００６５】
なお、本発明の投写型表示装置としては、上記実施例のものに限られるものではなく種々の態様の変更が可能であり、例えば、温度検出器（温度検出センサー）の配設位置、投写レンズにおける各レンズの曲率半径Ｒおよびレンズ間隔（もしくはレンズ厚）Ｄを適宜変更することが可能である。
【００６６】
また、照明光学系としても、ライトバルブの種類に対応した適切な構成を採用することができる。
【符号の説明】
【００６７】
１    投写型表示装置
２    レンズ鏡筒部
２ａ  フランジ部
３    プロジェクタ本体
３ａ  レンズマウント部
４    投写レンズ
５    色合成プリズム
２１    温度検出センサー
２２    ＣＰＵ
２３    メモリ
２４    レンズ駆動モーター
２５    ピントずれ補償用レンズ群
Ｇ１〜Ｇ６    レンズ群
Ｌ１〜Ｌ１５    レンズ
Ｒ１〜Ｒ３１    レンズ面等の曲率半径
Ｄ１〜Ｄ３０    軸上面間隔
Ｚ    光軸
【図１】
2011039352.tif 000006
【図２】
2011039352.tif 000007
【図３】
2011039352.tif 000008
【図４】
2011039352.tif 000009
【図５】
2011039352.tif 000010
【図６】
2011039352.tif 000011
【図７】
2011039352.tif 000012
【図８】
2011039352.tif 000013